(57)【特許請求の範囲】
【請求項１】
露光用の開口部を開放する開放位置と閉鎖する閉鎖位置との間を走行可能に設けられた先羽根群及び後羽根群と、前記先羽根群に対して通電時に直接駆動力を及ぼすと共に非通電時に前記閉鎖位置に保持する保持力を及ぼす先羽根電磁駆動源と、前記後羽根群に対して通電時に直接駆動力を及ぼすと共に非通電時に前記開放位置に保持する保持力を及ぼす後羽根電磁駆動源とを備え、前記先羽根群の走行に続いて前記後羽根群を走行させることにより露光動作を行なわせるカメラ用シャッタ装置であって、
前記先羽根群が前記閉鎖位置にかつ前記後羽根群が前記開放位置にあるときに、前記先羽根群及び後羽根群の一部に対して前記保持力と同じ向きに直接付勢力を及ぼしその移動を規制する規制用電磁駆動源を有する、
ことを特徴とするカメラ用シャッタ装置。
【請求項２】
前記規制用電磁駆動源は、前記露光動作を行なう直前に、前記先羽根群及び後羽根群の他の一部に対して前記先羽根群及び後羽根群に前記先羽根電磁駆動源及び後羽根電磁駆動源の保持力と拮抗する向きに直接付勢力を及ぼす、
ことを特徴とする請求項１記載のカメラ用シャッタ装置。
【請求項３】
前記先羽根群は、少なくとも一枚の先羽根と、前記先羽根を駆動可能に支持する先羽根支持部材と、からなり、
前記後羽根群は、少なくとも一枚の後羽根と、前記後羽根を駆動自在に支持する後羽根支持部材と、からなり、
前記先羽根支持部材には、前記先羽根が前記閉鎖位置にあるときに前記規制用電磁駆動源の付勢力を出力する出力部が係合して押動される第１被押動部と、
前記先羽根が前記閉鎖位置から開放位置へ走行する直前に前記規制用電磁駆動源の付勢力を出力する出力部が係合して押動される第２被押動部とが形成され、
前記後羽根支持部材には、前記後羽根が前記開放位置にあるときに前記規制用電磁駆動源の付勢力を出力する出力部が係合して押動される第３被押動部と、
前記先羽根が前記開放位置へ走行する直前から前記後羽根が前記閉鎖位置へ走行する直前までの間に前記規制用電磁駆動源の付勢力を出力する出力部が係合して押動される第４被押動部とが形成されている、
ことを特徴とする請求項１又は２に記載のカメラ用シャッタ装置。
【請求項４】
前記先羽根支持部材は、前記先羽根に回動自在に連結され前記先羽根電磁駆動源からの駆動力を伝える先羽根駆動アームと、前記先羽根に回動自在に連結されて前記先羽根を支持する先羽根支持アームと、からなり、
前記後羽根支持部材は、前記後羽根に回動自在に連結され前記後羽根電磁駆動源からの駆動力を伝える後羽根駆動アームと、前記後羽根に回動自在に連結されて前記後羽根を支持する後羽根支持アームと、からなり、
前記先羽根支持アームには、前記第１被押動部及び前記第２被押動部が形成されており、
前記後羽根支持アームには、前記第３被押動部及び前記第４被押動部が形成されている、
ことを特徴とする請求項３記載のカメラ用シャッタ装置。
【請求項５】
前記規制用電磁駆動源には、前記先羽根群を前記閉鎖位置にかつ前記後羽根群を前記開放位置に位置付ける向きに付勢力を及ぼすバネが設けられている、
ことを特徴とする請求項１ないし４いずれかに記載のカメラ用シャッタ装置。
【発明の詳細な説明】
【０００１】
【発明の属する技術分野】
本発明は、デジタルスチルカメラ、銀塩フィルム式カメラ、レンジファインダ式カメラ等種々のタイプのカメラにおいて、露光用のシャッタ装置あるいは遮光用のシャッタ装置として搭載されるカメラ用シャッタ装置に関し、特に、先羽根及び後羽根からなるシャッタ羽根を、電磁駆動源により順次に直接駆動して走行させることによりシャッタ動作を行なわせる形式のカメラ用シャッタ装置に関する。
【０００２】
【従来の技術】
カメラ用シャッタ装置の構造を簡略化する等の観点から、モータ等の電磁駆動源を用いて、シャッタ羽根を直接駆動するタイプのカメラ用シャッタ装置が開発されている。このタイプのカメラ用シャッタ装置においては、電磁駆動源が発生する駆動力あるいは非通電状態でシャッタ羽根を所定位置に保持する保持力が小さいため、シャッタ羽根を走行させる場合の走行動作が不安定になったり、あるいは、外部からの衝撃あるいは振動等により閉鎖位置に保持されていたシャッタ羽根が容易に移動して、露光動作以外のときに開口部を開放してしまう可能性がある。
【０００３】
特に、上記保持力の不足に対して対策を講じたカメラ用シャッタ装置としては、例えば、実開昭５６−７９２２号公報等に記載されたものが知られている。この公報に開示のカメラ用シャッタ装置においては、シャッタ羽根が開口部を閉鎖した位置にあるとき、電磁駆動源の回転軸をロックするようなレバー等からなるロック機構を設け、レリーズ動作に先立ってこのロック機構によるロックを解除するような構成になっている。
【０００４】
【発明が解決しようとする課題】
ところで、保持力等の不足に対処するべく、上記のようなレバー等からなるロック機構を採用する場合は、ロック機構を構成するレバーあるいはこのレバーに係合する周辺の部材等を必要とし、又、ロック動作あるいはその解除動作を行なうための駆動源等を必要とし、構造の簡略化という本来の目的等が達成されなくなる。また、電磁駆動源の駆動力が比較的小さいことから、ロック機構によるロック状態を解除した直後にシャッタ羽根がガタツキ等を生じるのを抑えて、所定の位置から所定のタイミングで、シャッタ羽根の走行が確実に安定して行なわれるようにする必要がある。
【０００５】
本発明は、このような問題点に鑑みて成されたものであり、その目的とするところは、構造の簡略化、部品点数の削減等による低コスト化等を図りつつ、シャッタ羽根を所定の位置に確実に保持でき、又、シャッタ羽根を駆動する際に確実に安定した走行動作を行なわせることのできるカメラ用シャッタ装置を提供することにある。
【０００６】
【課題を解決するための手段】
本発明のカメラ用シャッタ装置は、露光用の開口部を開放する開放位置と閉鎖する閉鎖位置との間を走行可能に設けられた先羽根群及び後羽根群と、先羽根群に対して通電時に直接駆動力を及ぼすと共に非通電時に閉鎖位置に保持する保持力を及ぼす先羽根電磁駆動源と、後羽根群に対して通電時に直接駆動力を及ぼすと共に非通電時に開放位置に保持する保持力を及ぼす後羽根電磁駆動源とを備え、先羽根群の走行に続いて後羽根群を走行させることにより露光動作を行なわせるカメラ用シャッタ装置であって、上記先羽根群が閉鎖位置にかつ上記後羽根群が開放位置にあるときに、先羽根群及び後羽根群の一部に対して上記保持力と同じ向きに直接付勢力を及ぼしその移動を規制する規制用電磁駆動源を有する、ことを特徴としている。
この構成によれば、先羽根群が閉鎖位置にあるとき、この先羽根群には、先羽根電磁駆動源により発生される磁気的な保持力が作用すると共に、規制用電磁駆動源により発生される付勢力が作用する。すなわち、先羽根電磁駆動源の保持力に、規制用電磁駆動源の付勢力が加わることで、外部からの衝撃あるいは振動に対しても移動することなく、先羽根群は確実に閉鎖位置に保持される。
また、後羽根群が開放位置にあるとき、この後羽根群には、後羽根電磁駆動源により発生される磁気的な保持力が作用すると共に、規制用電磁駆動源により発生される付勢力が作用する。すなわち、後羽根電磁駆動源の保持力に、規制用電磁駆動源の付勢力が加わることで、外部からの衝撃あるいは振動に対しても移動することなく、後羽根群は確実に開放位置に保持される。
【０００７】
上記構成において、規制用電磁駆動源は、露光動作を行なう直前に、先羽根群及び後羽根群の他の一部に対して先羽根群及び後羽根群に先羽根電磁駆動源及び後羽根電磁駆動源の保持力と拮抗する向きに直接付勢力を及ぼす、構成を採用することができる。
この構成によれば、先羽根群が走行する直前に、規制用電磁駆動源は、先羽根電磁駆動源及び後羽根電磁駆動源の保持力と拮抗する向きの付勢力を発生して、先羽根群及び後羽根群を所定の走行開始位置に押し付けてガタ寄せを行なう。この状態で先羽根群及び後羽根群が順次に走行を開始すると、所定のタイミングで安定した走行が順次に行なわれる。
【０００８】
上記構成において、先羽根群は、少なくとも一枚の先羽根とこの先羽根を駆動可能に支持する先羽根支持部材とからなり、後羽根群は、少なくとも一枚の後羽根とこの後羽根を駆動自在に支持する後羽根支持部材とからなり、先羽根支持部材には、先羽根が閉鎖位置にあるときに規制用電磁駆動源の付勢力を出力する出力部が係合して押動される第１被押動部と、先羽根が閉鎖位置から開放位置へ走行する直前に規制用電磁駆動源の付勢力を出力する出力部が係合して押動される第２被押動部とが形成され、後羽根支持部材には、後羽根が開放位置にあるときに規制用電磁駆動源の付勢力を出力する出力部が係合して押動される第３被押動部と、先羽根が開放位置へ走行する直前から後羽根が閉鎖位置へ走行する直前までの間に規制用電磁駆動源の付勢力を出力する出力部が係合して押動される第４被押動部とが形成されている、構成を採用することができる。
この構成によれば、規制用電磁駆動源の付勢力が、先羽根支持部材に形成された第１被押動部又は第２被押動部を介して先羽根に、又、後羽根支持部材に形成された第３被押動部又は第４被押動部を介して後羽根に、それぞれ伝達される。すなわち、上記付勢力は、先羽根及び後羽根に直接作用しないため、先羽根及び後羽根そのものを薄板状に形成することができる。
【０００９】
上記構成において、先羽根支持部材は、先羽根に回動自在に連結され先羽根電磁駆動源からの駆動力を伝える先羽根駆動アームと先羽根に回動自在に連結されて先羽根を支持する先羽根支持アームとからなり、後羽根支持部材は、後羽根に回動自在に連結され後羽根電磁駆動源からの駆動力を伝える後羽根駆動アームと後羽根に回動自在に連結されて後羽根を支持する後羽根支持アームとからなり、先羽根支持アームには、上記第１被押動部及び第２被押動部が形成されており、後羽根支持アームには、上記第３被押動部及び第４被押動部が形成されている、構成を採用することができる。
この構成によれば、規制用電磁駆動源の付勢力が、先羽根支持部材を構成する先羽根駆動アームと先羽根支持アームとのうち、先羽根支持アームに形成された第１被押動部又は第２被押動部を介して先羽根に、又、後羽根支持部材を構成する後羽根駆動アームと後羽根支持アームとのうち、後羽根支持アームに形成された第３被押動部又は第４被押動部を介して後羽根に、それぞれ伝達される。
すなわち、先羽根駆動アーム及び後羽根駆動アームに対して先羽根電磁駆動源及び後羽根電磁駆動源の保持力が作用し、先羽根支持アーム及び後羽根支持アームに対して規制用電磁駆動源の付勢力が作用するため、先羽根駆動アーム及び先羽根支持アーム又は後羽根駆動アーム及び後羽根支持アームにより、連結部のガタをも吸収するように、先羽根及び後羽根のガタ寄せが確実に行なわれる。
【００１０】
上記構成において、規制用電磁駆動源には、先羽根群を閉鎖位置にかつ後羽根群を開放位置に位置付ける向きに付勢力を及ぼすバネが設けられている、構成を採用することができる。
この構成によれば、バネの付勢力が、上記先羽根電磁駆動源又は後羽根電磁駆動源の保持力及び規制用電磁駆動源の付勢力に加わり、先羽根群及び後羽根群は、走行前の閉鎖位置及び開放位置に、より一層確実に保持されることになる。
【００１１】
【発明の実施の形態】
以下、本発明の実施の形態について、添付図面を参照しつつ説明する。
図１ないし図４は、本発明に係るカメラ用シャッタ装置の一実施形態を示すものであり、図１は先羽根群が開口部を閉鎖した閉鎖位置にかつ後羽根群が開口部を開放した開放位置にある状態を示す平面図、図２は先羽根群が開口部を閉鎖した閉鎖位置から開放位置に向けて走行直前にある状態を示す平面図、図３は先羽根群が開口部を開放した開放位置にかつ後羽根群が開口部を閉鎖した閉鎖位置にある状態を示す平面図、図４はカメラ用シャッタ装置の一部を示す断面図である。尚、図面においては、説明の便宜上、実線とすべきところを点線にてあるいは点線とすべきところを実線にて表している。
【００１２】
この実施形態に係るカメラ用シャッタ装置は、図１ないし図４に示すように、露光用の開口部１０ａを画定する地板１０と、この地板１０と所定間隔を空けて平行に配置されかつ露光用の開口部２０ａを画定する中間板２０と、この中間板２０と所定間隔を空けて平行に配置されかつ露光用の開口部３０ａを画定する押え板３０と、開口部１０ａ，２０ａ，３０ａを開放する開放位置と閉鎖する閉鎖位置との間を走行可能に、地板１０と中間板２０との間に配置された先羽根群４０及び中間板２０と押え板３０との間に配置された後羽根群５０と、先羽根群４０に対して通電時に直接駆動力を及ぼすと共に非通電時に閉鎖位置に保持する保持力を及ぼす先羽根電磁駆動源６０と、後羽根群５０に対して通電時に直接駆動力を及ぼすと共に非通電時に開放位置に保持する保持力を及ぼす後羽根電磁駆動源７０と、先羽根群４０及び後羽根群５０が露光動作を行なう前の待機位置にあるとき又は露光動作直前の位置にあるときに、先羽根群４０及び後羽根群５０の一部に直接係合して付勢力を及ぼす規制用電磁駆動源８０等を、その基本構成として備えている。
【００１３】
先羽根電磁駆動源６０は、Ｎ極とＳ極に着磁されかつ駆動力を出力する駆動ピン（出力部）６１ａを備えたロータ６１と、励磁用のコイル６２と、磁路を形成する円筒状のヨーク６３と、磁性ピン６４，６５等により構成されたアイリスモータと呼ばれるムービングマグネット型の電磁アクチュエータである。
そして、図１に示すように、先羽根群４０が閉鎖位置にあるときに、コイル６２への非通電状態で、ロータ６１のＮ極が磁性ピン６４に引かれて、ロータ６１は時計回りに回転付勢力（保持力）を及ぼすように、又、図３に示すように、先羽根群４０が開放位置にあるときに、非通電状態でロータ６１のＳ極が磁性ピン６５に引かれて、ロータ６１は反時計回りに回転付勢力（保持力）を及ぼすようになっている。
【００１４】
後羽根電磁駆動源７０は、前述の先羽根電磁駆動源６０と同様に、Ｎ極とＳ極に着磁されかつ駆動力を出力する駆動ピン（出力部）７１ａを備えたロータ７１と、励磁用のコイル７２と、磁路を形成する円筒状のヨーク７３と、磁性ピン７４，７５等により構成されたアイリスモータと呼ばれるムービングマグネット型の電磁アクチュエータである。
そして、図１に示すように、後羽根群５０が開放位置にあるときに、コイル７２への非通電状態で、ロータ７１のＮ極が磁性ピン７４に引かれて、ロータ７１は時計回りに回転付勢力（保持力）を及ぼすように、又、図３に示すように、後羽根群５０が閉鎖位置にあるときに、非通電状態でロータ７１のＳ極が磁性ピン７５に引かれて、ロータ７１は反時計回りに回転付勢力（保持力）を及ぼすようになっている。
【００１５】
規制用電磁駆動源８０は、前述の先羽根電磁駆動源６０及び後羽根電磁駆動源７０と同様に、Ｎ極とＳ極に着磁されかつ駆動力を出力する駆動ピン（出力部）８１ａを備えたロータ８１と、励磁用のコイル８２と、磁路を形成する円筒状のヨーク８３と、磁性ピン８４，８５等により構成されている。
そして、図１に示すように、先羽根群４０が閉鎖位置にかつ後羽根群５０が開放位置あるときに、コイル８２への非通電状態で、ロータ８１のＮ極が磁性ピン８４に引かれて、ロータ８１は時計回りに回転付勢力を及ぼすように、又、図２に示すように、先羽根群４０が閉鎖位置から開放位置へ走行する直前の状態にあるときに、非通電状態でロータ８１のＳ極が磁性ピン８５に引かれて、ロータ８１は反時計回りに回転付勢力を及ぼすようになっている。
【００１６】
このように、先羽根電磁駆動源６０、後羽根電磁駆動源７０、及び規制用電磁駆動源８０の構成を同一とすることにより、３つの電磁駆動源を用いつつも部品の共用化が図れ、部品点数の削減による管理コスト及び部品コストの低減を行なうことができる。
【００１７】
先羽根群４０は、図１及び図４に示すように、複数（ここでは、３枚）の先羽根４１，４２，４３と、これらの先羽根４１，４２，４３に回動自在に連結され先羽根電磁駆動源６０からの駆動力を伝える先羽根駆動アーム４４と、この先羽根駆動アーム４４に連動するように先羽根４１，４２，４３に回動自在に連結されてこれら先羽根４１，４２，４３を支持する先羽根支持アーム４５とにより構成されている。ここでは、先羽根駆動アーム４４と先羽根支持アーム４５との２本のアームにより、先羽根支持部材が構成されている。
【００１８】
先羽根駆動アーム４４及び先羽根支持アーム４５は、図１及び図４に示すように、押え板３０に設けられた支持軸３０ｂ，３０ｃにそれぞれ回動自在に支持されている。
先羽根駆動アーム４４には、先羽根電磁駆動源６０の駆動ピン６１ａが係合する長孔４４ａが形成されている。尚、先羽根電磁駆動源６０の駆動ピン６１ａは、地板１０に形成された長孔１０ｂに遊挿されており、この長孔１０ｂの両端部に駆動ピン６１ａが当接することで、先羽根電磁駆動源６０（ロータ６１）の回動範囲が規制されている。
【００１９】
先羽根支持アーム４５には、図１に示すように、先羽根群４０が閉鎖位置にあるときに、規制用電磁駆動源８０の駆動ピン８１ａが係合して押動される第１被押動部４５ａと、図２に示すように、先羽根群４０が閉鎖位置から開放位置へ走行する直前に、規制用電磁駆動源８０の駆動ピン８１ａが係合して押動される第２被押動部４５ｂとが形成されている。これら第１被押動部４５ａ及び第２被押動部４５ｂは、平板状をなす先羽根支持アーム４５から、同一面内で平板状に突出する突出片として形成されている。
【００２０】
後羽根群５０は、図３及び図４に示すように、複数（ここでは、３枚）の後羽根５１，５２，５３と、これらの後羽根５１，５２，５３に回動自在に連結され後羽根電磁駆動源７０からの駆動力を伝える後羽根駆動アーム５４と、この後羽根駆動アーム５４に連動するように後羽根５１，５２，５３に回動自在に連結されてこれら後羽根５１，５２，５３を支持する後羽根支持アーム５５とにより構成されている。ここでは、後羽根駆動アーム５４と後羽根支持アーム５５との２本のアームにより、後羽根支持部材が構成されている。
【００２１】
後羽根駆動アーム５４及び後羽根支持アーム５５は、図３及び図４に示すように、押え板３０に設けられた支持軸３０ｄ，３０ｅにそれぞれ回動自在に支持されている。
後羽根駆動アーム５４には、後羽根電磁駆動源７０の駆動ピン７１ａが係合する長孔５４ａが形成されている。
尚、後羽根電磁駆動源７０の駆動ピン７１ａは、地板１０に形成された長孔１０ｃに遊挿されており、この長孔１０ｃの両端部に駆動ピン７１ａが当接することで、後羽根電磁駆動源７０（ロータ７１）の回動範囲が規制されている。
【００２２】
後羽根支持アーム５５には、図１に示すように、後羽根群５０が開放位置にあるときに、規制用電磁駆動源８０の駆動ピン８１ａが係合して押動される第３被押動部５５ａと、先羽根群４０が閉鎖位置から開放位置へ走行する直前から（図２参照）後羽根群５０が閉鎖位置に向けて走行する直前までの間、規制用電磁駆動源８０の駆動ピン８１ａが係合して押動される第４被押動部５５ｂとが形成されている。
第３被押動部５５ａ及び第４被押動部５５ｂは、平板状をなす後羽根支持アーム５５から、その面に垂直に突出するようなピンとして形成されている。
【００２３】
尚、規制用電磁駆動源８０の駆動ピン８１ａは、地板１０に形成された長孔１０ｄに遊挿されており、この駆動ピン８１ａが第１被押動部４５ａ及び第３被押動部５５ａに同時に当接し又地板１０の長孔１０ｄの右側端部１０ｄ´´に当接することで、規制用電磁駆動源８０（ロータ８１）の時計回りと反時計回りの回動範囲が規制されている。
【００２４】
次に、この実施形態に係るカメラ用シャッタ装置が、露光用のシャッタ装置としてデジタルスチルカメラに搭載された場合の動作について、図５ないし図１０の動作図、及び図１１のタイムチャートを参照しつつ説明する。尚、図９（ａ），（ｂ）及び図１０（ａ），（ｂ）は、図５ないし図８の一部をそれぞれ拡大した拡大図である。本実施形態におけるデジタルスチルカメラにおいては、先羽根群４０が閉鎖位置にあっても、撮影者は光学ファインダを覗いて被写体像の観察を行なうことができるようになっている。
【００２５】
先ず、カメラのメインスイッチがＯＮとされて、撮影待機状態では、図５に示すように、先羽根群４０は閉鎖位置に、後羽根群５０は開放位置にある。
このとき、先羽根電磁駆動源６０の駆動ピン６１ａは、コイル６２への非通電の状態で、長孔１０ｂの一端部１０ｂ´に当接してそれ以上の時計回りの回転が規制されつつ、先羽根群４０の先羽根駆動アーム４４に対して時計回りの回転付勢力（保持力）を及ぼしている。
また、後羽根電磁駆動源７０の駆動ピン７１ａは、コイル７２への非通電の状態で、長孔１０ｃの一端部１０ｃ´に当接してそれ以上の時計回りの回転が規制されつつ、後羽根群５０の後羽根駆動アーム５４に対して時計回りの回転付勢力（保持力）を及ぼしている。
【００２６】
さらに、規制用電磁駆動源８０の駆動ピン８１ａは、図９（ａ）に示すように、コイル８２への非通電の状態で、長孔１００ｄの左端部１０ｄ´には非接触の状態を維持し、かつ、第１被押動部４５ａ及び第３被押動部５５ａに当接してそれ以上の時計回りの回転が規制されつつ、先羽根支持アーム４５及び後羽根支持アーム５５を若干時計回りに押し付けて回転付勢力を及ぼしている。
この状態においては、先羽根群４０及び後羽根群５０には、先羽根電磁駆動源６０及び後羽根電磁駆動源７０による磁気的な保持力の他に、さらに規制用電磁駆動源８０による磁気的な付勢力が加わるため、先羽根群４０は閉鎖位置に又後羽根群５０は開放位置に、それぞれ確実に保持されることになる。
【００２７】
この待機状態において、撮影者がレリーズ動作を行なうと、図１１に示すように、コイル８２への通電により、規制用電磁駆動源８０のロータ８１が所定の角度だけ正転（反時計回りに回転）し、図６及び図９（ｂ）に示すように、駆動ピン８１ａが先羽根支持アーム４５の第２押動部４５ｂ及び後羽根支持アーム５５の第４被押動部５５ｂに当接して回転付勢力を及ぼし、先羽根群４０を若干開放位置に向けてかつ後羽根群５０を若干閉鎖位置に向けて移動させる。
尚、この状態で、駆動ピン８１ａは、特に図９（ｂ）に示すように、長孔１００ｄの右端部１０ｄ´´に対して非接触の状態を維持している。
すなわち、先羽根電磁駆動源６０及び後羽根電磁駆動源７０の保持力と拮抗する向きに規制用電磁駆動源８０の付勢力が作用することで、先羽根群４０及び後羽根群５０のガタ寄せが行なわれ、先羽根群４０及び後羽根群５０が所定の露光開始位置に位置決めされる。
【００２８】
続いて、この規制用電磁駆動源８０の通電による付勢力が作用している間に、図１１に示すように、コイル６２への通電が行なわれると、先羽根電磁駆動源６０のロータ６１が正転（反時計回りに回転）を始める。
そして、図７に示すように、先羽根群４０が走行して開放位置に至ると同時に、駆動ピン６１ａが長孔１０ｂの他端部１０ｂ´´に当接してそれ以上の回転が規制され、コイル６２への通電が断たれる。このとき、先羽根群４０を開放位置に保持する向きに、先羽根電磁駆動源６０の保持力（非通電による磁気的付勢力）が作用することになる。
【００２９】
また、このとき図１０（ａ）に示すように、先羽根支持アーム４５の第２被押動部４５ｂは、規制用電磁駆動源８０の駆動ピン８１ａから離脱する一方で、後羽根支持アーム５５の第４被押動部５５ｂは、依然として駆動ピン８１ａに当接した状態にある。これにより、開口部１０ａは完全に開放された状態となる。
【００３０】
続いて、上記規制用電磁駆動源８０の通電による付勢力が作用している間でかつ先羽根電磁駆動源６０の起動に遅れて、図１１に示すように、コイル７２に通電が行なわれると、後羽根電磁駆動源７０のロータ７１が正転（反時計回りに回転）し始める。
そして、図８に示すように、後羽根群５０が走行して閉鎖位置へ至ると同時に、駆動ピン７１ａが長孔１０ｃの他端部１０ｃ´´に当接してそれ以上の回転が規制され、コイル７２への通電が断たれる。このとき、後羽根群５０を閉鎖位置に保持する向きに、後羽根電磁駆動源７０の保持力（非通電による磁気的付勢力）が作用することになる。上記後羽根群５０の走行により、開口部１０ａは再び閉鎖された状態となる。
【００３１】
また、このとき、図１０（ｂ）に示すように、後羽根支持アーム５５の第４被押動部５５ｂは、規制用電磁駆動源８０の駆動ピン８１ａから離脱する。と同時に、ロータ８１は若干反時計回りに回転して、その駆動ピン８１ａは、長孔１０ｄの右端部１０ｄ´´に当接してそれ以上の回転が規制され、コイル８２への通電が断たれる。
ここで、コイル８２への通電が断たれるタイミングは、図１１に示すように、コイル６２及びコイル７２への通電が開始された後で、かつ、コイル６２及びコイル７２への通電が断たれる前に設定されている。
これにより、ガタ寄せが行なわれる。
尚、ロータ８１が反時計回りに回転して、駆動ピン８１ａが第２被押動部４５ｂ及び第４被押動部５５ｂに当接すると同時に、コイル８２への通電を断ってもよく、この場合には、磁気的付勢力によりガタ寄せが維持される。
【００３２】
すなわち、上記先羽根群４０の走行に続いて後羽根群５０が走行することにより、ＣＣＤに対する露光動作が行なわれ、１回の撮影が完了する。
尚、ＣＣＤに蓄積された電荷は、画像信号処理回路に導かれて解放され、画像信号処理回路の出力信号に基づいて、記録手段に撮影画像として記録される。
【００３３】
一方、先羽根群４０及び後羽根群５０を走行前の待機状態に復帰させる場合は、図１１に示すように、コイル６２に逆向きの通電が行なわれ、続いて、コイル７２に逆向きの通電が行なわれる。
すると、先羽根電磁駆動源６０のロータ６１が逆転（時計回りに回転）し、先羽根群４０が開放位置から閉鎖位置に向かって戻り始める。
続いて、後羽根電磁駆動源７０のロータ７１が逆転（時計回りに回転）し、後羽根群５０が閉鎖位置から開放位置に向かって戻り始める。
【００３４】
そして、図５に示すように、再び先羽根群４０が走行して閉鎖位置に至り、駆動ピン６１ａが長孔１０ｂの一端部１０ｂ´に当接してそれ以上の回転が規制されて先羽根群４０が停止すると、コイル６２への通電が断たれる。
また、先羽根群４０の閉鎖位置への走行開始から若干遅れて、図５に示すように、再び後羽根群５０が走行して開放位置に至り、駆動ピン７１ａが長孔１０ｃの一端部１０ｃ´に当接してそれ以上の回転が規制されて後羽根群５０が停止すると、コイル７２への通電が断たれる。
【００３５】
これにより、閉鎖位置に位置付けられた先羽根群４０には、先羽根電磁駆動源６０の保持力（非通電による磁気的付勢力）が作用して、先羽根群４０を閉鎖位置に保持し、又、開放位置に位置付けられた後羽根群５０には、後羽根電磁駆動源７０の保持力（非通電による磁気的付勢力）が作用して、後羽根群５０を開放位置に保持する。
【００３６】
また、図１１に示すように、コイル６２への通電が断たれた後でかつコイル７２への通電が断たれる前に、コイル８２に逆向きの通電が行なわれ、規制用電磁駆動源８０のロータ８１が逆転（時計回りに回転）し始める。
そして、規制用電磁駆動源８０の駆動ピン８１ａが、先羽根支持アーム４５の第１被押動部４５ａ及び後羽根支持アーム５５の第３被押動部５５ａに当接し、先羽根群４０を若干閉鎖位置に向けてかつ後羽根群５０を若干開放位置に向けて押し付けて、上記保持力と同じ向きに付勢力を及ぼすことになる。
その後、図１１に示すように、コイル８２への通電が断たれると、規制用電磁駆動源８０の付勢力は、非通電による磁気的付勢力として作用し続けることになる。
【００３７】
これにより、先羽根群４０は、先羽根電磁駆動源６０の保持力と規制用電磁駆動源８０の付勢力とにより閉鎖位置に確実に保持され、又、後羽根群５０は、後羽根電磁駆動源７０の保持力と規制用電磁駆動源８０の付勢力とにより開放位置に確実に保持され、待機状態となる。以後の撮影にいおては、上述のシーケンスが繰り返し行なわれることになる。
【００３８】
上記の実施形態においては、図１２に示すように、規制用電磁駆動減８０に対して、先羽根群４０を閉鎖位置にかつ後羽根群５０を開放位置に位置付ける向きに付勢力を及ぼすバネ９０を設けた構成とすることもできる。
すなわち、図１２に示すように、地板１０に設けられた突起１０ｅと駆動ピン８１ａとの間に、引張りタイプのバネ９０を張設する。この構成によれば、図１２（ａ）に示すように、先羽根群４０が閉鎖位置にかつ後羽根群５０が開放位置にある待機状態において、このバネ９０の付勢力が先羽根群４０を閉鎖位置にかつ後羽根群５０を開放位置に保持する力として加わるため、先羽根群４０は閉鎖位置により一層確実に保持され、又、後羽根群５０は開放位置により一層確実に保持されることになる。
【００３９】
一方、先羽根群４０が走行する直前には、図１２（ｂ）に示すように、規制用電磁駆動源８０のロータ８１を正転させようとする力に拮抗する向きに、バネ９０の付勢力が作用することになるが、先羽根群４０及び後羽根群５０の走行には何ら影響せず、又、規制用電磁駆動源８０に加わる負荷は元々小さいため、規制用電磁駆動源８０は所望の機能を確実に果たすことになる。
【００４０】
以上述べた実施形態においては、先羽根支持アーム４５に第１被押動部４５ａ及び第２被押動部４５ｂを形成し、又、後羽根支持アーム５５に第３被押動部５５ａ及び第４被押動部５５ｂを形成する構成としたが、これに限定されるものではなく、先羽根４１，４２，４３のいずれかに第１被押動部及び第２被押動部を形成し、又、後羽根５１，５２，５３のいずれかに第３被押動部及び第４被押動部を形成することも可能である。
【００４１】
すなわち、先羽根駆動アーム４４あるいは先羽根支持アーム４５に枢支される近傍の領域において、先羽根４１，４２，４３の一部を延伸させ、その延伸させた部分に第１被押動部４５ａ及び第２被押動部４５ｂに相当する形状を形成し、又、後羽根駆動アーム５４あるいは後羽根支持アーム５５に枢支される近傍の領域において、後羽根５１，５２，５３の一部を延伸させ、その延伸させた部分に第３被押動部５５ａ及び第４被押動部５５ｂに相当する形状を形成することができる。
この場合においても、先羽根群４０及び後羽根群５０に直接、規制用電磁駆動源８０の付勢力が加わるので、先羽根群４０及び後羽根群５０は確実に閉鎖位置及び開放位置に保持される。
【００４２】
また、上記実施形態においては、先羽根群４０を構成する先羽根支持部材として、先羽根駆動アーム４４及び先羽根支持アーム４５の２本を採用し、又、後羽根群５０を構成する後羽根支持部材として、後羽根駆動アーム５４及び後羽根支持アーム５５の２本を採用した構成を示したが、これに限定されるものではなく、先羽根支持部材及び後羽根支持部材として、それぞれ１本の先羽根アーム及び後羽根アームを採用し、先羽根アームに対して第１被押動部及び第２被押動部を設け、又、後羽根アームに対して第３被押動部及び第４被押動部を設ける構成を採用することも可能である。
【００４３】
また、上記実施形態においては、先羽根群４０及び後羽根群５０が、各々複数枚の羽根で構成されているが、必ずしもこのような構成にする必要はなく、各々１枚の羽根で構成するようにしてもよい。
また、上記実施形態においては、第１被押動部４５ａ及び第２被押動部４５ｂを先羽根支持アーム４５に設け、又、第３被押動部５５ａ及び第４被押動部５５ｂを後羽根支持アーム５５に設けるように構成したが、これに限定されるものではなく、先羽根駆動アーム４４に第１被押動部４５ａ及び第２被押動部４５ｂの一方を先羽根支持アーム４５に第１被押動部４５ａ及び第２被押動部４５ｂの他方を設け、又、後羽根駆動アーム５４に第３被押動部５５ａ及び第４被押動部５５ｂの一方を後羽根支持アーム５５に第３被押動部５５ａ及び第４被押動部５５ｂの他方を設けるように構成することも可能である。
【００４４】
【発明の効果】
以上述べたように、本発明のカメラ用シャッタ装置によれば、先羽根群に駆動力及び保持力を及ぼす先羽根電磁駆動源と後羽根群に駆動力及び保持力を及ぼす後羽根電磁駆動源の他に、先羽根群及び後羽根群の両方に付勢力を及ぼす規制用電磁駆動源を設けたことにより、構造の簡略化、部品点数の削減等による低コスト化等を図りつつ、外部からの衝撃あるいは振動に対しても移動することなく、先羽根群及び後羽根群を走行前の待機状態に確実に保持することができる。また規制用電磁駆動源の付勢力によりガタ寄せを行なうことで、先羽根群及び後羽根群を露光開始位置に位置決めすることができ、安定した露光動作を行なわせることができる。
また、先羽根群と後羽根群とを、一つの規制用電磁駆動源により付勢して位置決めを行なっているため、それぞれ別個に規制用電磁駆動源を設ける場合に比べて、構造の簡略化、部品点数の削減による小型化、低コスト化等を行なうことができる。
さらに、先羽根電磁駆動源、後羽根電磁駆動源、及び規制用電磁駆動源を同一の構成とすることで、部品の共用化が行なえ、管理コストの低減、あるいは装置の低コスト化等を行なうことができる。
【図面の簡単な説明】
【図１】本発明に係るカメラ用シャッタ装置の一実施形態を示すものであり、先羽根群が閉鎖位置に後羽根群が開放位置にある状態を示す平面図である。
【図２】本発明に係るカメラ用シャッタ装置の一実施形態を示すものであり、先羽根群が走行直前の状態を示す平面図である。
【図３】本発明に係るカメラ用シャッタ装置の一実施形態を示すものであり、先羽根群が開放位置に後羽根群が閉鎖位置にあるシャッタ動作後の状態を示す平面図である。
【図４】図１に示すカメラ用シャッタ装置の一部を拡大した断面図である。
【図５】カメラ用シャッタ装置の動作を説明するために一部を拡大して示した拡大平面図で、先羽根群が閉鎖位置、後羽根群が開放位置にある走行前の状態を示す。
【図６】カメラ用シャッタ装置の動作を説明するために一部を拡大して示した拡大平面図で、先羽根群が開放位置に向けて走行する直前の状態を示す。
【図７】カメラ用シャッタ装置の動作を説明するために一部を拡大して示した拡大平面図で、先羽根群が開放位置に向けて走行した状態を示す。
【図８】カメラ用シャッタ装置の動作を説明するために一部を拡大して示した拡大平面図で、先羽根群が開放位置、後羽根群が閉鎖位置にある状態を示す。
【図９】規制用電磁駆動源と第１被押動部及び第２被押動部あるいは第３被押動部及び第４被押動部との係合関係を示す一部拡大図で、（ａ）は先羽根群及び後羽根群が走行前の状態、（ｂ）は先羽根群が走行直前の状態をそれぞれ示す。
【図１０】規制用電磁駆動源と第１被押動部及び第２被押動部あるいは第３被押動部及び第４被押動部との係合関係を示す一部拡大図で、（ａ）は先羽根群が走行した後の状態、（ｂ）は後羽根群が走行した後の状態をそれぞれ示す。
【図１１】カメラ用シャッタ装置の動作を説明するためのタイムチャートである。
【図１２】本発明に係るカメラ用シャッタ装置の他の実施形態を示すもので、（ａ）は先羽根群及び後羽根群が走行前の状態を示す平面図、（ｂ）は先羽根群が走行直前の状態を示す平面図である。
【符号の説明】
１０  地板
２０  中間板
３０  押え板
４０  先羽根群
４４  先羽根駆動アーム（先羽根支持部材）
４５  先羽根支持アーム（先羽根支持部材）
４５ａ  第１被押動部（一部）
４５ｂ  第２被押動部（他の一部）
５０  後羽根群
５４  後羽根駆動アーム（後羽根支持部材）
５５  後羽根支持アーム（後羽根支持部材）
５５ａ  第３被押動部（一部）
５５ｂ  第４被押動部（他の一部）
６０  先羽根電磁駆動源
７０  後羽根電磁駆動源
８０  規制用電磁駆動源
９０  バネ
【図１】
0004450492.tif 000002
【図２】
0004450492.tif 000003
【図３】
0004450492.tif 000004
【図４】
0004450492.tif 000005
【図５】
0004450492.tif 000006
【図６】
0004450492.tif 000007
【図７】
0004450492.tif 000008
【図８】
0004450492.tif 000009
【図９】
0004450492.tif 000010
【図１０】
0004450492.tif 000011
【図１１】
0004450492.tif 000012
【図１２】
0004450492.tif 000013